(57)【要約】      （修正有）【課題】浮き遊具を水上に安定的に設置させておくことができると共に、気象条件が悪化した時には、事前に浮き遊具を回収できる水上遊戯施設を提供する。【解決手段】内部に気体が充填されて浮くように形成された浮き遊具１と、浮き遊具１を係止するために岸から所定距離を離した水面近くに配置されるベース枠体２と、ベース枠体２を係留する係留手段３とを備え、浮き遊具１は、ベース枠体２に着脱自在に係止し得るようになっている。【選択図】図１
2019195502.tif 000002
【特許請求の範囲】
【請求項１】
海や湖沼などに設置される水上遊戯施設であって、
内部に気体が充填されて浮くように形成された浮き遊具と、前記浮き遊具を係止するために岸から所定距離を離した水面近くに配置されるベース枠体と、前記ベース枠体を係留する係留手段とを備え、
前記浮き遊具は、前記ベース枠体に着脱自在に係止し得るようになっていることを特徴とする水上遊戯施設。
【請求項２】
前記ベース枠体は、長尺部材により枠状に形成されていることを特徴とする請求項１記載の水上遊戯施設。
【請求項３】
前記係留手段は、底側移動規制部と岸側移動規制部とを備え、
前記底側移動規制部は、前記ベース枠体の下方近傍の水底に設置する底側設置アンカーと、前記底側設置アンカーから延出されて前記ベース枠体に係止する第１の紐状部材とからなり、
前記岸側移動規制部は、前記ベース枠体と対向する岸に設置する岸側設置アンカーと、前記岸側設置アンカーから延出されて前記ベース枠体に係止する第２の紐状部材とからなっていることを特徴とする請求項１又は２のいずれかに記載の水上遊戯施設。
【請求項４】
前記第１の紐状部材の前記ベース枠体側の端部が伸縮性を有する弾性部材により形成されていることを特徴とする請求項３記載の水上遊戯施設。
【請求項５】
前記ベース枠体は複数の浮き遊具を係止可能になっており、これら複数の浮き遊具は係着部材により相互に連結可能になっていることを特徴とする請求項１乃至４のいずれかに記載の水上遊戯施設。
【請求項６】
前記係着部材は、伸縮性を有する弾性部材により形成されていることを特徴とする請求項５記載の水上遊戯施設。
【請求項７】
前記ベース枠体の内側に筋ロープを横架させたことを特徴とする請求項１乃至６のいずれかに記載の水上遊戯施設。
【発明の詳細な説明】
【技術分野】
【０００１】
本発明は、海や湖沼などの水上に形成される水上遊戯施設に関するものである。
【背景技術】
【０００２】
近時、いわゆる海離れという現象が起きていて、海水浴を楽しむ人々の数が急速に減少している。レジャー白書によると、全国の海水浴人口は平成１９年において、２，０４０万人だったが、平成２７年には７６０万人に半減したとされている。このような海離れ現象の原因の１つとして、様々なレジャーが多様化したことにより、海水浴に魅力を感じなくなった人が増加したことがあげられる。そこで、現在、全国の海水浴場では、少しでも多くの海水浴客を呼び込み、ひいては、海水浴人口を底上げすることが喫緊の課題となっている。
【０００３】
この点、従来から、海の魅力を高めて海水浴人口を増やすべく、特許文献１乃至４に示されているような海上に浮遊設置する水上プールが考えられている。このような水上プールは、海に設置されているが故に、海で遊泳しているかのような気分に浸ることができると共に、様々な危険を有する海において、遊泳者の安全を確保し得るという点では有益性が高いといえる。その反面、当該水上プールは、海上に設置することができるものの、あくまでもプールにすぎず、遊戯者の遊戯方法としては、単に遊泳ができるだけだから、レジャーとしての斬新性に欠け、海水浴場に対する新たな需要を喚起するには至っていない。
【先行技術文献】
【特許文献】
【０００４】
【特許文献１】特許第６１４９３３３号公報
【特許文献２】特開２０１４−１２５７８７号公報
【特許文献３】特開２００５−９００９８号公報
【特許文献４】特許第２５６８４４１号公報
【発明の概要】
【発明が解決しようとする課題】
【０００５】
こうした実情に鑑み、本出願人は、海上で遊泳以外の遊戯をなし得る新たな施設として、海上に浮き遊具を浮かせてアスレチック的な遊戯施設を構築し得ないかと考えた。もっとも、単純に、浮き遊具を海上に設置してみたところ、様々な問題が発生することが明らかになった。例えば、浮き遊具を岸に近い場所に設置すると、波の影響を受け易く、浮き遊具を安定的に設置しておくことが難しい。逆に、沖側に浮き遊具を強固に固定してしまうと、台風や高波などが発生した際、浮き遊具が風力や波動に耐えきれず、浮き遊具を破損・損傷させてしまい、最悪の場合、浮き遊具を海洋に漂流させてしまうことになる。また、台風や高波などが発生することを事前に察知して、浮き遊具を一時的に回収しようとしても、これを簡易に回収することができないなど種々の問題を有していることが浮き彫りになった。
【０００６】
そこで、本発明は、浮き遊具を使った斬新な水上遊戯施設を水上に安定的に維持できるようにし、また、突発的に生じる台風などの気象変動の際に、浮き遊具をベース枠体から外して、浮き遊具のみを簡易に回収できるようにしている。また、台風などが通過して気象が穏やかになった後は、即座に浮き遊具をベース枠体に係止して、水上遊戯施設を再開できるようにしている。
【課題を解決するための手段】
【０００７】
上記のような課題を解決するために本発明に係る水上遊戯施設は、内部に気体が充填されて浮くように形成された浮き遊具と、前記浮き遊具を係止するために岸から所定距離を離した水面近くに配置されるベース枠体と、前記ベース枠体を係留する係留手段とを備え、前記浮き遊具は、前記ベース枠体に着脱自在に係止し得るようになっていることを特徴としている。
【０００８】
また、前記ベース枠体は、長尺部材により枠状に形成されていることを特徴としている。
【０００９】
さらに、前記係留手段は、底側移動規制部と岸側移動規制部とを備え、前記底側移動規制部は、前記ベース枠体の下方近傍の水底に設置する底側設置アンカーと、前記底側設置アンカーから延出されて前記ベース枠体に係止する第１の紐状部材とからなり、前記岸側移動規制部は、前記ベース枠体と対向する岸に設置する岸側設置アンカーと、前記岸側設置アンカーから延出されて前記ベース枠体に係止する第２の紐状部材とからなっていることを特徴としている。
【００１０】
また、前記第１の紐状部材は、その前記ベース枠体側の端部が伸縮性を有する弾性部材により形成されていることが望ましい。
【００１１】
さらに、前記ベース枠体は複数の浮き遊具を係止可能になっており、これら複数の浮き遊具は係着部材により相互に連結可能になっていることを特徴としている。
【００１２】
また、前記係着部材は、伸縮性を有する弾性部材により形成されていることが望ましい。
【００１３】
さらに、前記ベース枠体の内側に筋ロープを横架させることが望ましい。
【発明の効果】
【００１４】
本発明によれば、海や湖沼などの水上に斬新な遊戯施設を設置することができるので、海水浴場に新たな需要を喚起することができる。また、浮き遊具を岸から所定距離離して設置したベース枠体に係止するようにしているので、常態において、浮き遊具を水上に安定的に維持させておくことができる。さらに、浮き遊具は、ベース枠体に着脱自在に係止し得るようにしているので、台風が発生するなど、気象条件が悪化した時に、事前に浮き遊具を回収し、ひいては浮き遊具の破損・損壊を未然に防ぐことができる。また、台風が通過するなど、気象条件が好転した時は、回収していた浮き遊具をベース枠体に再び係止するのみで、水上遊戯施設を再開させることができる。また、水上遊戯施設に、複数の浮き遊具を設けた場合において、それら浮き遊具の一部が破損等したとしても、当該破損した浮き遊具のみを簡単に交換することができる。
【図面の簡単な説明】
【００１５】
【図１】水上遊戯施設の斜視図。
【図２】水上遊戯施設の平面図。
【図３】水上遊戯施設に係止する浮き遊具の斜視図。
【図４】水上遊戯施設のベース枠体及び係留手段の斜視図。
【図５】水上遊戯施設の側面図。
【図６】他の実施例に係る水上遊戯施設の平面図。
【発明を実施するための形態】
【００１６】
以下、本発明に係る水上遊戯施設の実施の形態を図面に基づき説明する。図１は水上遊戯施設の斜視図、図２は水上遊戯施設の平面図、図４は係留手段によって係留されているベース枠体の斜視図、図５は水上遊戯施設の側面図である。本実施形態に係る水上遊戯施設は、内部に気体が充填されて浮くように形成された浮き遊具１と、浮き遊具１を係止するために岸から所定距離を離した水面近くに配置したベース枠体２と、ベース枠体２を係留する係留手段３とによって概略構成されている。なお、本実施形態に係る水上遊戯施設では、ベース枠体２に複数の浮き遊具１を係止することで、全体としてアスレチック施設のような遊戯施設を構成している。すなわち、通常のアスレチック施設は、地上に種々の障害物を組み込んで様々なアトラクションを作り、これらアトラクションを遊戯者が通過して楽しみながら運動能力を高めるべく形成されているが、本発明の実施形態に係る水上遊戯施設では、前述のアスレチック施設を地上ではなく海上に置き換えて形成したといえる。
【００１７】
前記浮き遊具１は、ターポリンやゴム被覆布などの気体不透過の可撓性シートを内部中空の袋状構造物に形成し、さらに該袋状構造物同士を接合することで種々の形状に造形している。図３には、種々の形状に形成された浮き遊具１の具体例が示されている。例えば、図３の浮き遊具１（ｃ）は、滑り台とジャングルジムを組み合わせたような形状に形成されており、図３の浮き遊具１（ｅ）は、遊戯者が浮き遊具１の上面を通過する際、わざとバランスを崩すような形状に形成されている。その他にも、図示はしないが、トランポリンを組み込んで遊戯者が浮き遊具１上でジャンプ可能に形成したものなどが造形されている。すなわち、これら浮き遊具１は、遊戯者が遊戯を楽しみ得るような所望の形状を任意に選択して造形することができる。ちなみに、図３（ｃ）の浮き遊具１のサイズは、Ｗ４８００ｍｍ×Ｄ５５００ｍｍ×Ｈ９９００ｍｍに設定されており、図３（ｅ）の浮き遊具１のサイズは、Ｗ３３００ｍｍ×Ｄ３３００ｍｍ×Ｈ３５０ｍｍに設定されている。
【００１８】
このように、浮き遊具１は、種々の形状に造形されているが、それらのいずれもが有する共通構成部分があるので、次に当該部分について説明する。浮き遊具１には、図示はしないが、エアー注入口が設けられていて、当該エアー注入口から空気を注入し内部の圧力を増加させることで、浮き遊具１が膨張するようになっている。また、空気を充填した浮き遊具１は、内部空気圧により水に浮くようになっていると共に、エアーマットのような弾性を備えた状態となる。従って、遊戯者が浮き遊具１上を走行中に転倒するなどしても、その弾性により打撲するなどの心配はない。さらに、図５に拡大して示されている（ａ）ように、各浮き遊具１の底面の外周縁やや内側、あるいは外側側部の適宜位置に適宜間隔を離して複数のＤ型形状のベース取付用金具５が固着されていて、ここに、金属製のスナップフック、あるいはカラビナと呼ばれる取付部材６を装着し得るようになっている。すなわち、前述のベース取付用金具５と取付部材６が浮き遊具１をベース枠体２に係止させる係止部材７として機能する。ここで、取付部材６の構成についてもう少し詳しく説明しておくと、取付部材６は、縦長略Ｃ字形状のフック本体６ａにゲート部材６ｂを揺動可能に取り付けてなり、全体として略楕円形の環状に形成されている。また、取付部材６のゲート部材６ｂは、バネによってフック本体６ａの開口を内側から閉じる方向に付勢されている。そのため、ゲート部材６ｂを外方から内側へ押圧すると、フック本体６ａの開口が開放され、ゲート部材６ｂの押圧を止めると、バネの付勢力によりゲート部材６ｂがフック本体６ａの開口を閉止するようになっている。従って、浮き遊具１をベース枠体２に係止する場合、ベース枠体２に浮き遊具１の取付部材６をワンタッチ的に係止させることができる。なお、浮き遊具１をベース枠体２に取り付けた場合、ベース枠体２の後述するベースロープ２ａ，２ｂ及び筋ロープ２ｃ、２ｄは、取付部材６の環内に、かなりの間隙をもって遊嵌された状態となる。
【００１９】
さらに、浮き遊具１は、複数の浮き遊具１を相互に連結し、ユニット化することができるようになっている。具体的には、浮き遊具１の底面外周縁やや内側、あるいは外側側部の適宜箇所に適宜間隔を離して複数のＤ型形状の遊具連結用金具８が固着されている。そして、連結しようとしている２つの浮き遊具１のそれぞれの遊具連結用金具８にバンジーロープと呼ばれる伸縮性を有する弾性部材からなる連結ロープ９（係着部材）を係止させることで２つの浮き遊具１を相互に連結できるようになっている。そして、この連結作業を他の浮き遊具１においても行うことにより、複数の浮き遊具１を相互に連結していき、任意の数の浮き遊具１を一つのユニットとすることができる。なお、図５に示されているように、浮き遊具１を連結した箇所には、その連結部分を隠す目的で、浮き遊具１と同素材のシート状のカバー１０が装着されている。また、浮き遊具１の外側側部の適宜箇所に複数のＤ型形状のラダー取付用金具が固着されていて（不図示）、ここに、昇降ラダー１１を装着し得るようになっている。さらに、浮き遊具１の底面中央部にＤ型形状のウエイト取付用金具が固着されていて、ここに、ウエイトバック１２を吊下し得るようになっている。ちなみに、このウエイトバック１２は、３０ｋｇに重量設定されており、浮き遊具１が風に煽られた際の浮き上がり等を防止する役割を果たすことになる。
【００２０】
なお、前記実施例では、複数の浮き遊具１を連結する際に使用する連結ロープ９について、伸縮性を有する素材を採用しているが、これにより、水上遊戯施設が受ける波の影響を軽減し、ひいては水上遊戯施設の安定性を維持することを可能としている。すなわち、仮に、複数の浮き遊具を伸縮性のない通常のロープ等によって連係させた場合、水上遊戯施設全体が波の動きに同調し、波が起きるたびに水上遊戯施設全体が傾いてしまうことになる。また、水上遊戯施設が大きな波を受けた場合、必然的に連結ロープに多大な力が掛かり、連結ロープを破断させてしまうことも起きかねない。この点、伸縮性を有する連結ロープを使用すれば、波の動きに対し、各々の浮き遊具が個々に動くことになり、水上遊戯施設全体の傾きを減少させることができ、また、連結ロープが波の動きに応じて伸縮することで波の力を吸収し、連結ロープが破断してしまうことを防ぐことができる。
【００２１】
前記ベース枠体２は、長尺部材、この実施形態では、直径１６ｍｍのポリエチレン製の４本のベースロープ２ａ，２ａ，２ｂ，２ｂの端部を互いに連結することによって四角形の枠状に形成されている。また、枠状のベースロープ２ａ，２ａ及び２ｂ，２ｂの内側中央に、これらベースロープ２ａ，２ｂと同素材の２本の筋ロープ２ｃ，２ｄが設けられている。すなわち、四角形の枠体の２箇所の対向する二辺となるベースロープ２ａ，２ａ及び２ｂ，２ｂのそれぞれに筋ロープ２ｃ，２ｄが掛け渡されるように連結されていて、筋ロープ２ｃ，２ｄが縦横方向に交差し、ベース枠体２は、平面視格子状になっている。ちなみに、これらロープの素材であるポリエチレンは、比重が軽いため、ベース枠体２を海上に設置すると、ベース枠体２自体が浮いて水面近くに位置することなる。なお、ベース枠体２の四隅のそれぞれにベースロープ用ブイ１５が着脱自在に係止されている。これらベースロープ用ブイ１５は、ポリ塩化ビニル製のシート材を略円柱形状にした袋体の内部に空気を充填して水に浮くように形成されていて、ベース枠体２を海上に設置した際、ベース枠体２の位置を確認するための目印としての役割を果たすことになる。ちなみに、図１及び２に示す水上遊戯施設は、比較的小型のもので、この施設で使用されるベース枠体２の外形寸法は、１０ｍ×１０ｍに設定されている。もっとも、ベース枠体の外形寸法及び筋ロープの数は、水上遊戯施設の規模、換言すれば、ベース枠体に係止する浮き遊具の数に応じて任意に選択することができる。
【００２２】
なお、上記実施例におけるベース枠体２は、四角形の外形を形成するベースロープ２ａ，２ｂに筋ロープ２ｃ，２ｄを横架させた例を示したが、筋ロープ２ｃ，２ｄは、必ず設けなければならないわけではない。すなわち、例えば、ベース枠体２に浮き遊具１を最小単位である１つのみ設置するような場合には、筋ロープ２ｃ，２ｄは不要である。
【００２３】
前記係留手段３は、ベース枠体２の下方近傍の海底に設置する底側設置アンカー２０と、該底側設置アンカー２０から延出されてベース枠体２に係止する第１の紐状部材２１とからなる底側移動規制部３Ａ、及びベース枠体２と対向する岸に設置する岸側設置アンカー２２と、該岸側設置アンカー２２から延出されてベース枠体２に係止する第２の紐状部材２３とからなる岸側移動規制部３Ｂとによって構成されている。
【００２４】
前記底側設置アンカー２０は、金属製の錨アンカーで、ベース枠体２の下方近傍の海底に沈設し、その重さと爪で海底に固定されるようになっている。これら底側設置アンカー２０は、汀線と平行に配置（横方向に配置）されているベースロープ２ａ及び筋ロープ２ｃの両側端を仮想的に外方へ所定距離延出させた位置の直下となる海底にそれぞれ３箇所ずつと、汀線と垂直に配置（縦方向に配置）されているベースロープ２ｂ及び筋ロープ２ｄの沖側端を仮想的に外方へ所定距離延出させた位置の直下となる海底に３箇所沈設されている。また、底側設置アンカー２０の上方には、アンカーロープ２４を介してアンカー用ブイ２５が設けられている。これらアンカー用ブイ２５は、ポリ塩化ビニル製のシート材を略円柱形状にした袋体の内部に空気を充填して水に浮くように形成されていて、底側設置アンカー２０の沈設箇所の目印としての役割を果たすことになる。
【００２５】
前記第１の紐状部材２１は、３種類の素材からなる部材を連結して形成されている。すなわち、その中央部分は、ポリエチレン製の一般的なロープ２１ａであるが、一方端側はステンレスチェーン（金属策条）２１ｂ、他方端側はバンジーロープと呼ばれる伸縮性を有する弾性部材２１ｃにより形成されている。具体的には、ステンレスチェーン２１ｂが、底側設置アンカー２０から延出されており、弾性部材２１ｃは、ベース枠体２に係止されている。また、弾性部材２１ｃの端部には、図示はしないが、金属製のスナップフック、あるいはカラビナと呼ばれる取付部材が取着されている。従って、第１の紐状部材２１はベース枠体２の被係止部にワンタッチ的に係止させることができる。ちなみに、この第１の紐状部材２１の長さは、潮の干満による水位変動、すなわち、最大水位と最小水位を予め測定し、その測定結果に応じて決定されることになる。
【００２６】
なお、前述のとおり、第１の紐状部材２１は、その端部を弾性部材２１ｃにより形成しているが、これにより、水上遊戯施設が受ける波の影響を軽減し、ひいては水上遊戯施設の安定性を維持することを可能としている。すなわち、弾性部材２１ｃが波の動きに応じて伸縮するため、波の力を吸収し、水上遊戯施設の全体的な揺れを軽減することができると共に、第１の紐状部材２１に過剰な力が掛かって破断してしまうことを防止できる。さらに、満潮時に水位が予想外に上昇したとしても、弾性部材２１ｃが延びるので、第１の紐状部材２１を突っ張らせて破断させることも防止することができる。
【００２７】
前記岸側設置アンカー２２は、袋状に形成され、その内部に砂を充填して重量を略１００ｋｇにした樹脂製バックであり、岸の砂中に埋設することで岸に固定されるようになっている。これら岸側設置アンカー２２は、ベース枠体２の汀線と垂直に配置されているベースロープ２ｂ及び筋ロープ２ｄの岸側端部を岸側へ仮想的に延長した位置の岸に３箇所設置されている。
【００２８】
前記第２の紐状部材２３は、ポリエチレン製の一般的なロープであり、一方の端部に図示はしないが、金属製のスナップフック、あるいはカラビナと呼ばれる取付部材が取着されている。従って、第２の紐状部材２３はベース枠体２の被係止部にワンタッチ的に係止させることができる。また、第２の紐状部材２３の他方端部は、岸側設置アンカー２２の上方に設けられた係止部２２ａに固着されている。なお、岸側設置アンカー２２の近傍にポール２６が立設されているが、これは岸側設置アンカー２２を埋設した場所を明確化する役割を果たしている。さらに、第２の紐状部材２３には、複数の誘導ブイ２７が装着されている。ちなみに、遊戯者が岸から水上遊戯施設に移動するにあたり、ジェットスキーや小型ボートを使用することも可能であるが、第２の紐状部材２３を伝って移動することもでき、この場合、第２の紐状部材２３は、遊戯者の誘導用のロープとして機能することになる。
【００２９】
図６は、前記実施例の水上遊戯施設よりも大型に形成した他の実施例に係る水上遊戯施設を示しており、この水上遊戯施設は、そのベース枠体２の外形寸法が３０ｍ×５０ｍに設定されている。また、この水上遊戯施設は、ベース枠体２に筋ロープ２ｃ，２ｄが複数設けられていると共に、これら筋ロープ２ｃ，２ｄがベースロープ２ａ，２ｂ間に横架されていない箇所がある点で、前記実施例と異なっている。すなわち、図６に矢印で示した箇所は、縦方向の筋ロープ２ｄが横方向の筋ロープ２ｃに連結されていて、ベースロープ２ａに掛け渡されていない。このように、ベース枠体２に複数の筋ロープ２ｃ，２ｄを設けた場合、必ずしも筋ロープ２ｃ，２ｄをベースロープ２ａ，２ｂ間に横架させなくても良い。なお、図６に示されているように、水上遊戯施設は、岸からかなり離れた位置に（岸側設置アンカー２２から６０ｍ）に設置される。これは、前述の小型の水上遊戯施設についてもいえることだが、岸から近い位置は、波の影響を受けやすく、水上遊戯施設を不安定にしてしまうこと、また、岸に近い箇所は、水深が浅いことが多く、水上遊戯施設から落下した遊戯者が怪我をしてしまうおそれがあるため、こうした問題を回避することを考慮している。
【００３０】
なお、上記実施形態の浮き遊具は、ターポリンやゴム被覆布で形成したものを例としてあげたが、これに限られず、気体不透過のものであれば、その素材を任意に選択可能である。また、ベース枠体を構成する長尺部材について、好適な例としてポリエチレン製のロープを示したが、これに限られるわけではなく、その他のロープ、あるいはパイプ状のものを使用することも可能である。さらに、前記実施形態では、ベース枠体を四角形の枠状に形成した例を示したが、それ以外の多角形、あるいは円形等、種々の枠形状にすることが可能である。また、底側設置アンカー及び岸側設置アンカーについても、上記実施形態に示したものに限られない。すなわち、ベース枠体の移動を規制できるアンカーであれば、その形状、材質等は自由に選択することができる。さらに、第１の紐状部材の素材も上述のものに限られず、任意に選択可能である。
【符号の説明】
【００３１】
１      浮き遊具
２      ベース枠体
２ａ    ベースロープ（長尺部材）
２ｂ    ベースロープ（長尺部材）
２ｃ    筋ロープ
２ｄ    筋ロープ
３      係留手段
３Ａ    底側移動規制部
３Ｂ    岸側移動規制部
９      連結ロープ
２０    底側設置アンカー
２１    第１の紐状部材
２１ｃ  弾性部材
２２    岸側設置アンカー
２３    第２の紐状部材
【図１】
2019195502.tif 000003
【図２】
2019195502.tif 000004
【図３】
2019195502.tif 000005
【図４】
2019195502.tif 000006
【図５】
2019195502.tif 000007
【図６】
2019195502.tif 000008